(57)【要約】【課題】  熟練を要することなしに簡単かつ綺麗に着付けができる普通仕立ての着物を提供するものであり、特に、着物を綺麗に着付けるための重要な要素である背中心を正確に合わせること、衿元を揃えること、更には、裾搾りの褄先上がりにすること、更に、着用後の着崩れの心配のない着付けが行える着物を提供する。【解決手段】  普通に仕立てられた着物１において、後身頃４における所定の高さ位置に所定長さを有する２本の胸紐７，８が後身頃４のほぼ全幅にわたって固着した状態で取り付けられている。【選択図】      図１
0003120734.tif 000002
【実用新案登録請求の範囲】
【請求項１】
普通に仕立てられた着物において、後身頃における所定の高さ位置に所定長さを有する２本の胸紐が後身頃のほぼ全幅にわたって固着した状態で取り付けられていることを特徴とする簡単かつ綺麗に着付けのできる着物。
【請求項２】
前記２本の胸紐を取り付ける後身頃における所定の高さ位置が、後身頃における身八口の高さ位置であることを特徴とする簡単かつ綺麗に着付けのできる着物。
【請求項３】
前記２本の胸紐が後身頃の表面に取り付けられていることを特徴とする請求項１または２記載の簡単かつ綺麗に着付けのできる着物。
【請求項４】
前記２本の胸紐が後身頃の裏面に取り付けられていることを特徴とする請求項１または２記載の簡単かつ綺麗に着付けのできる着物。
【請求項５】
前記２本の胸紐の内の１本が後身頃の表面に、もう１一本が後身頃の裏面にそれぞれ取り付けられていることを特徴とする請求項１または２記載の簡単かつ綺麗に着付けのできる着物。
【請求項６】
前記２本の胸紐が互いに重なる位置で縫着されていることを特徴とする請求項１，２，３，４または５記載の簡単かつ綺麗に着付けのできる着物。
【請求項７】
前記２本の胸紐の内、少なくとも１本がその中央を後身頃の背中心に合致させて固着されていることを特徴とする請求項１，２，３，４，５または６記載の簡単かつ綺麗に着付けのできる着物。
【請求項８】
上前身頃と下前身頃に連設されている衿の両衿先に一対の腰紐が外側方向へ向けて斜め上方に傾斜させた状態でそれぞれ取り付けられており、且つ前記上前身頃側の衿先に取り付けられた腰紐を通すベルト通しが右側の脇縫部における身八口よりも下で衿先よりも上方部位に、前記下前身頃側の衿先に取り付けられた腰紐を通す脇穴が左側の脇縫部における身八口よりも下で衿先よりも上方部位にそれぞれ設けられていることを特徴とする請求項１，２，３，４，５，６または７記載の簡単かつ綺麗に着付けのできる着物。
【考案の詳細な説明】
【技術分野】
【０００１】
本考案は、普通仕立ての着物であって、簡単かつ綺麗に着付けのできる着物に関するものである。
【背景技術】
【０００２】
従来、着物を着るには複数の腰紐や腰ベルト等の着付け具を用いて、衿合わせや褄の位置、おはしょりの形成などを考慮して着付けをしなければならず、熟練を要するとともに、着付けが充分でないと、着付けた後も着崩れが心配であるなど着付けの際の困難さが着物を着る機会が減少する要因の１つとなっている。
【０００３】
そこで、従来から簡単に着付けのできる着物が提案されており、例えば特公昭６３−５４８２号公報、特開２００３−８９９０３号公報、特開２００５−３４４２４４号公報、特開２００６−２２７０号公報、登録実用新案第３０６１９７５号公報等に提示されている。
【０００４】
ところが、前記公報に提示されている簡単に着付けのできる着物は、着物に取り付けた腰紐を紐通しに通すことにより簡単に着付けを行うようにしたものが殆どであり、衿合わせ、背中心の歪みや、後身頃の着皺をなくすなどのような上半身部分については考慮されていない。また、前記公報に提示されている着物の殆どは、例えば後身頃を切断したり、身丈を調整したもの、或いは上下に分割した二部式であるなど特異な着物であるためそれぞれ目的に合わせて特別に仕立てるなど必要があり、簡単かつ綺麗に着付のできる普通仕立ての着物は提示されていない。
【特許文献１】特公昭６３−５４８２号公報
【特許文献２】特開２００３−８９９０３号公報
【特許文献３】特開２００５−３４４２４４号公報
【特許文献４】特開２００６−２２７０号公報
【特許文献５】登録実用新案第３０６１９７５号公報
【考案の開示】
【考案が解決しようとする課題】
【０００５】
本考案は上記課題を解決するためになされたものであり、熟練を要することなしに簡単かつ綺麗に着付けができる普通仕立ての着物を提供するものであり、特に、着物を綺麗に着付けるための重要な要素である背中心を正確に合わせること、衿元を揃えること、更には、裾搾りの褄先上がりにすること、更に、着用後の着崩れの心配のない着付けが行える着物を提供するものである。
【課題を解決するための手段】
【０００６】
上記課題を達成するためになされた本考案である簡単かつ綺麗に着付けのできる着物は、普通に仕立てられた着物において、後身頃における所定の高さ位置、好ましくは身八口の高さ位置に所定長さを有する２本の胸紐が後身頃のほぼ全幅にわたって固着した状態で取り付けられていることを特徴とする。
【０００７】
本考案によれば、後身頃における身八口の高さ位置に所定長さを有する２本の胸紐を備え、この内の１本をその端を左右の身八口を通して着物の内側に通し、襦袢と着物のそれぞれの後身頃を一体的に締結することにより着物を襦袢の胸部に固定して衿元を揃え、後背中心から脇まで後身頃が安定し、特に、胸紐をその中央が後身頃の背中心に合致するように固着しておくと、胸紐の両端を身体の前で同じ長さに成るように引っ張れば背中心が背中の中心に位置することとなり、更に、前記腰紐の上におはしょりを形成した後、残りの胸紐を着物の上から結び全体を固定する。
【０００８】
また、胸紐を後身頃の表面に固着した場合には胸紐が後身頃を外側から包囲するので安定した着付けが可能であるとともに、後身頃を外側から支持するので後身頃の内側に配置した場合に比べて弱い固着力で固着すればよく、例えば胸紐を縫着する場合には比較的粗めであったり、縫い線の数を減らす等、制作が容易である。一方、胸紐を後身頃の裏面に固着した場合には外側から見えないので装着後に帯がずれたりしたとしても露出しないので美麗である点で優れている。
【０００９】
更に、２本の胸紐を重ねて縫着する場合には、一度の縫製で２本の胸紐を固着することができるので作製の手間を省くことができる。
【００１０】
更にまた、上前身頃と下前身頃に連設されている衿の両衿先に一対の腰紐が外側方向へ向けて斜め上方に傾斜させた状態でそれぞれ取り付けられており、且つ前記上前身頃側の衿先に取り付けられた腰紐を通すベルト通しが右側の脇縫部における身八口よりも下で衿先よりも上方部位に、前記下前身頃側の衿先に取り付けられた腰紐を通す脇穴が左側の脇縫部における身八口よりも下で衿先よりも上方部位にそれぞれ設けられている場合には、上前身頃側の衿先に取り付けられた腰紐をベルト通しに、下前身頃側の衿先に取り付けられた腰紐を脇穴に通して褄先の位置を調整した後、背後に回して交差させ、それらの両端を前面に回した状態で両端を締結して所定の裾搾りの褄先上がりの着付けをすることができる。
【考案の効果】
【００１１】
以上、本考案によれば、普通仕立ての着物を熟練を要することなしに簡単かつ綺麗に着付けができる。特に、着物を綺麗に着付けるための重要な要素である後身頃を安定した状態とし、衿元や衿抜を揃えること、背中心が歪みなく、裾搾りの褄先上がりにすること、更に、着付け後における着崩れの心配もない。また、本考案は、特別な装着具を必要とするものでなく安価に且つ簡単に作ることができるばかりか、普通仕立ての着物をそのまま簡単に装着できるものであり、従来から所有している着物を利用することもできる。
【考案を実施するための最良の形態】
【００１２】
次に、本考案の好ましい実施の形態を図面に基づいて詳細に説明する。
【００１３】
図１および図２は本考案の好ましい実施の形態を示すものであり、本考案である着物１は、下前身頃２、上前身頃３、後見頃４、両袖５，５および衿６を有して従来の普通に仕立てられたものと同様に仕立てられている。尚、着物１は新たに仕立てても良いが、従来のものをそのまま用いることもできる。
【００１４】
そして、本実施の形態では、後身頃４の表面に２本の胸紐７，８が互いに重ねた状態で縫い着けることで取り付けられている。更に、詳しく説明すると、２本の胸紐７，８は同一の幅（例えば３〜５ｃｍ程度）と同一の長さ（例えば１５０〜２００ｃｍ程度）を有し、互いに重ね合わせた状態で後身頃４における身八口９，９の高さ位置（例えば衿下から２２〜３５ｃｍ程度の位置）に水平に配置されて後身頃４のほぼ全幅にわたって両脇縫部１１ａ，１１ｂまで縫着されており、特に、胸紐７，８の中央７３，８３が後身頃４の背中心４１に合致するように取り付けられている。
【００１５】
また、下前身頃２、上前身頃３とに連設されている衿６の両衿先６１，６２に一対の腰紐１２，１３が外側方向へ向けて所定の角度（例えば５０〜６０度の角度）で斜め上方に傾斜させて縫着によりそれぞれ取り付けられている。尚、腰紐１２，１３は例えば９５〜１１０ｃｍ程度の長さであり、両衿先６１，６２の縫着位置は例えば裾１６から８０〜１１０ｃｍ程度の高さ位置が好ましい。
【００１６】
更に、右側の脇縫部１１ａにおける身八口９よりも下で衿先６１，６２よりも上方部位に前記上前身頃３側の衿先６２に取り付けられた腰紐１３を通すベルト通し１４が、左側の脇縫部１１ｂにおける身八口９よりも下で衿先６１，６２よりも上方部位に前記下前身頃２側の衿先４２に取り付けられた腰紐１２を通す脇穴１５が形成されている。尚、前記ベルト通し１４および脇穴１５の形成位置は例えば裾１６から８７〜９７ｃｍ程度の位置が好ましく、また、ベルト通し１４および脇穴１５自体の穴は例えば５〜７ｃｍ程度が好ましい。
【００１７】
次に、本実施の形態である着物１を用いた着付けについて順次説明する。
【００１８】
着付けをするには、まず、図３乃至図５に示すように襦袢１７を着用した状態で両袖５，５に腕を通して着物１をはおり、例えば下側に配置されている一方の胸紐７の両端７１，７２を身八口９，９にそれぞれ通過させて身体の前に通し、襦袢１７の衿１８と着物１の衿６との前衿合わせや衿抜きの位置や形の調整をした上で、襦袢１７の前で胸紐７の両端７１，７２を締結し、着物１や襦袢１７の衿６、１８部分を安定した状態に固定する。
【００１９】
特に、このとき、胸紐７は中央７３が後身頃４の背中心４１に合致するように取り付けられているので、始めに胸紐７の両端７１，７２を身体の前で同じ長さになるように引っ張れば、図４に示すように、後身頃４の背中心４１を背骨の中心に位置させることができ背中心が歪んだ状態で装着される心配がない。同時に、胸紐７は後身頃４のほぼ全幅にわたって両脇縫部１１ａ，１１ｂまで縫着されているので、後身頃４が背中心４１から両脇縫部１１ａ，１１ｂまで着皺を発生させずに安定した綺麗な状態で被着することができる。
【００２０】
そして、次に、図６に示すように、下前身頃２側の衿先６１に取り付けられた腰紐１２を脇穴１５に通すとともに上前身頃２側の衿先６２に取り付けられた腰紐１３をベルト通し１４に通し、両褄先１９，２０の高さ位置を調整した後、背後に回して交差させ（図示せず）、図７に示すように腰紐１２，１３を前面に回して互いに締結し、図８に示すように締結した腰紐１２，１３の上に上前身頃２，下前身頃３および後身頃４を弛ませた部分を所定の幅に折り込んでおはしょり２１を形成し、更に、もう一つの胸紐８を図９に示すように着物１の上から巻回して両端を締結して着付けを終える。
【００２１】
以上のような本実施の形態につき着付けの時間を計ったところ、大人に限らず５〜６歳程度の子供であっても数回の試技の後、数分で着付けを完了することかできた。
【００２２】
特に、本実施の形態では、腰紐１２および腰紐１３を両衿先６１，６２に一対の腰紐１２，１３が外側方向へ向けて所定の角度で斜め上方に傾斜させてそれぞれ取り付けられているとともに、これらの腰紐１２および腰紐１３を通すベルト通し１４および脇穴１５が所定の高さ位置に配置されているので、腰紐１２および腰紐１３をベルト通し１４および脇穴１５に通すだけで、後は微細な調整をして締結することで、ほぼ予め定めた所定の裾搾りの褄先上がりの着付けが簡単にできる。
【００２３】
尚、本実施の形態は好ましい一例を示したものであり、本考案は本実施例に限るものではない。特に、胸紐７，８や腰紐１２，１３等の寸法、更に取り付け位置などは着用する者の身体や好みに合わせて適宜変更可能であり、材質や締結手段も問わず、例えば伸縮ベルトやベルベット式ファスナ（面ファスナ）のような装着容易なものであってもよい。
【図面の簡単な説明】
【００２４】
【図１】本考案の好ましい実施の形態を示す正面図。
【図２】図１に示した実施の形態の背面図。
【図３】図１に示した実施の形態の使用状態の一部を示す説明図。
【図４】図１に示した実施の形態の使用状態の一部を示す説明図。
【図５】図１に示した実施の形態の使用状態の一部を示す説明図。
【図６】図１に示した実施の形態の使用状態の一部を示す説明図。
【図７】図１に示した実施の形態の使用状態の一部を示す説明図。
【図８】図１に示した実施の形態の使用状態の一部を示す説明図。
【図９】図１に示した実施の形態の使用状態の一部を示す説明図。
【符号の説明】
【００２５】
１  着物、２  下前身頃、３  上前身頃、４  後身頃、５  袖、６  衿、７  胸紐、８  胸紐、９  身八口、１１ａ，１１ｂ  脇縫部、１２  腰紐、１３  腰紐、１４  ベルト通し、１５  脇穴、１６  裾、４１  背中心
【図１】
0003120734.tif 000003
【図２】
0003120734.tif 000004
【図３】
0003120734.tif 000005
【図４】
0003120734.tif 000006
【図５】
0003120734.tif 000007
【図６】
0003120734.tif 000008
【図７】
0003120734.tif 000009
【図８】
0003120734.tif 000010
【図９】
0003120734.tif 000011